(57)【要約】【課題】この発明は、幼児連れの外出時に、素早くベビーカーから抱っこ紐で抱っこしたり、抱っこ紐からベビーカーへ乗せ替えたりでき、子供と外出するときの荷物が多くなることを解決しようとしたものである。【解決手段】ベビーカー用防寒具兼用乳児抱っこ用おくるみは、子供を入れる袋にベルトと留め具が付いたものである。ベビーカーの防寒用ザックとして使う場合は、図３、図４参照。抱っこ紐として使う場合は、図５参照。おしめを替えるときの敷物として使う場合は、図６参照。【選択図】　　　図１
2004003066.tif 000002
【特許請求の範囲】
【請求項１】
キルティング等の柔らかく丈夫な生地よりなるおくるみで、下部は足を入れる袋状で胸腹部を覆う部分はファスナーを留めることにより筒状になり全体で乳児を包む袋状になり、そして下部と胸腹部の覆いの境目に平行に面ファスナー等で筒状になる帯状のものがありベビーカーのフロントガードバーを包み込みベビーカーにおくるみを固定することができ、さらにおくるみの乳児の背当て部分と臀部の当たる部分に帯を取り付けおくるみを抱っこ紐として使うことができるベビーカー用防寒具兼用乳児抱っこ用おくるみ。
【発明の詳細な説明】
【０００１】
【産業上の利用分野】
この発明は、ベビーカーに取り付けることができさらに抱っこ用の紐を取り付けたおくるみに関する物である。
【０００２】
【従来の技術】
従来、幼児連れの外出で一般歩道などを移動するときは幼児をベビーカーに乗せ冬場や冷房の効いたビル内など寒いところでは防寒用の毛布を掛けたり防寒用の袋に入れて乗せ、満員電車や百貨店などの人混みでは予めテーブルのような台で幼児を抱っこ紐にセットし抱っこ紐で抱き移動していました。
【０００３】
従来、ベビーカーに乗せるときの防寒具と長時間抱っこするときの抱っこ紐とおしめ替え用の敷物を持ち歩く必要があり、一つの物で三つの機能を兼ね備えた物は無かった。
【０００４】
【発明が解決しようとする課題】
この発明は、幼児連れの外出時に、素早くベビーカーから抱っこ紐で抱っこしたり、抱っこ紐からベビーカーへ乗せ替えたりでき、子供と外出するときの荷物が多くなることを解決しようとしたものである。
【０００５】
【課題を解決するための手段】
上記目的を達成するため、この発明のベビーカー用防寒具兼用乳児抱っこ用おくるみは、子供を入れる袋１につないたベルト２，３，１１と留め具７，８，９，１０が付いたものである。
【０００６】
ベビーカーの防寒用おくるみとして使う場合（図４参照）はファスナー４のある側を上にしてベビーカーのフロントガードバー２８の下をくぐらせて足部収納部２４はベビーカーのフロントガードバー２８より前に出します。次にファスナー４を下側だけつなぎ面ファスナー１５を面ファスナー１９と同じく面ファスナー１６を面ファスナー２０とで留めます。ベルト２，３は袋１とベビーカーの肘掛けの間に入れベルト２，３の交差部分はベビーカーのフロントガードバー２８の上にかけ、ベルト２，３とベビーカーのフロントガードバー２８ごとベビーカー固定帯部２５で覆うようにし面ファスナー１３を面ファスナー１７と同じく面ファスナー１４を面ファスナー１８とで留めます。図３．断面図参照。
【０００７】
子供の乗せ方はファスナー４の部分をベビーカーの肘掛けにかけて入り口を広げ足は背当て兼股当て部２２の股当て２７の部分を足で挟むように乗せ寒いときはファスナー４を閉めます。
【０００８】
抱っこ紐として使う場合（図５参照）はあらかじめベルト２，３は調節具５，６により長さを調節しておきファスナー４を下側だけつなぎ面ファスナー１５を面ファスナー１９と同じく面ファスナー１６を面ファスナー２０とで留めます。
【０００９】
子供の入れ方はファスナー４の部分を広げ足は背当て兼股当て部２２の股当て部２７を足で挟むように乗せ、面ファスナー１３を面ファスナー１７と同じく面ファスナー１４を面ファスナー１８とで留めます。寒いときはファスナー４を閉めます。
【００１０】
抱っこの仕方はベルト２，３の留め具７，９もしくは留め具８，１０のどちらかをはずしベルト２，３の間から頭を出し抱き上げてからはずしていた留め具７，９もしくは留め具８，１０をつけます。ベルト２はベルト３との交差部分が二重になっていてベルト３を通して挟んでいるので簡単に留め具を止めることが出来ます。
【００１１】
ベビーカーから抱っこするには面ファスナー１３と面ファスナー１７と同じく面ファスナー１４と面ファスナー１８とを離しベルト２，３を出し、留め具７，９もしくは留め具８，１０のどちらかをはずしベルト２，３の間から頭を出し抱き上げてから外していた留め具７，９もしくは留め具８，１０をつけます。ベルト２はベルト３との交差部分が二重になっていてベルト３を通して挟んでいるので簡単に留め具を止めることが出来ます。
【００１２】
おしめを替えるときの敷物として使う場合（図６参照）はファスナー４と全ての面ファスナー１３，１４，１５，１６，１７，１８，１９，２０をはずし、上下を逆にして足を入れる袋の部分を枕にしおしめを替えることが出来る。
【００１３】
【発明の実施の形態】
以下、図面を用いて本発明を詳細に説明する。図１（Ａ）は本発明の前面図であり、ベルト３はベルト２との交差部分が二重部分になっており間に通され挟まれることにより、留め具７，９もしくは留め具８，１０がはずれていても抱きかかえたとき留め具７もしくは留め具８が反対側まで移動することなく、ひとりで抱っこ紐として使うときでも楽に留め具で固定することが出来る。ベルト２，３が交点を過ぎたところで反転しているのは力の掛かり具合からこのようになった。
【００１４】
図１（Ｂ）は本発明の背面図で、ベルト２，３は袋１の上端からベルト１１の下端まで袋１に逢着され、ベルト１１はベルト２とベルト３を押さえているところまでが袋１に逢着され、補強用のベルト１２は全面が袋１に逢着されている。
【００１５】
図２（Ａ）は袋１の展開図の表面と、図２（Ｂ）は袋１の展開図の内面で面ファスナー１３，１４，１５，１６，１７，１８，１９，２０の取り付け位置を示している。
【００１６】
さらに図２（Ｂ）は背当て２６と股当て２７の位置を示し、背当て２６は逢着し背当ての延長上にある股当て２７は下端を股当て逢着位置２１に逢着する。
【００１７】
図３はベビーカーに取り付けたときの断面図を示し面ファスナー１５と面ファスナー１９そして面ファスナー１６と面ファスナー２０とを留めることにより袋１を形成し面ファスナー１３と面ファスナー１７そして面ファスナー１４と面ファスナー１８とを留めることによりバー２８を巻き込みベビーカーに固定されている。
【００１８】
図４はベビーカーに取り付けたときの形態を示しています。子供が起きあがらないようにベビーカーに取り付けられているシートベルト２９も使い子供を固定すると安全性が向上します。
【００１９】
図５は抱っこ紐として使用しています。既存の抱っこ紐は股当てにより子供を支えますがこの発明はベルト１１の上に子供の臀部が乗り子供の股に不必要な力が掛からないようになっています。
【００２０】
図６はおしめを替えるときの敷物として使用している図で、上下を逆にし足部収納部２４を枕代わりに使いベビーカー固定帯部２５もその上に折り上げます。
【００２１】
【発明の効果】
この発明のベビーカー用防寒具兼用乳児抱っこ用おくるみは、抱っこ紐にセットしたままベビーカーに乗せているので、満員の電車やエレベーターでも抱っこ紐にセットする場所がいらずすぐに子供を抱っこできベビーカーを畳めて電車やエレベーターに乗り込めるなど即行性があり、そしてベビーカーに乗せるときの防寒具と抱っこするときの抱っこ紐そしておしめを交換するときの敷物を持ち歩く必要がなく荷物が少なくてすみ負担が減り大変重宝である。
【図面の簡単な説明】
【図１】（Ａ）本発明の正面図。（Ｂ）本発明の背面図。
【図２】（Ａ）本発明の本体の外側展開図。（Ｂ）本発明の本体の内側展開図。
【図３】ベビーカー取り付け時の断面図
【図４】ベビーカー取り付け図
【図５】抱っこ紐様使用図
【図６】おしめ替え用敷物様使用図
【符号の説明】
１袋
２・３ベルト
４ファスナー
５・６ベルトの長さ調節具
７・８・９・１０ベルトの留め具
１１抱っこ時子供の臀部が乗るベルト
１２背部補強用ベルト
１３・１４・１５・１６・１７・１８・１９・２０面ファスナー
２１股当てを逢着する位置
２２背当てと股当て
２３胸腹部収納部
２４足部収納部
２５ベビーカー固定帯部
２６背当て部
２７股当て部
２８ベビーカーのフロントガードバー
２９ベビーカーのシートベルト
【図１】
2004003066.tif 000003
【図２】
2004003066.tif 000004
【図３】
2004003066.tif 000005
【図４】
2004003066.tif 000006
【図５】
2004003066.tif 000007
【図６】
2004003066.tif 000008